【手続補正書】
【提出日】平成26年12月24日(2014.12.24)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の変動表示を行なった後に表示結果を導出表示する変動表示手段における表示結果が特定表示結果となったときに遊技者にとって有利な有利状態に制御可能である遊技機であって、
所定条件が成立したことに基づいて、設定期間に亘り前記有利状態とは異なる遊技者にとって有利な特別状態に制御する特別状態制御手段と、
前記設定期間に基づいて、該設定期間に関連した期間情報を表示する表示手段と、
リーチ演出を実行するリーチ演出実行手段とを備え、
前記表示手段は、前記特別状態中の前記変動表示において、前記リーチ演出が実行された後、前記識別情報とは態様が異なる特殊識別情報を表示したときに、前記期間情報を新たな期間情報に更新可能であることを特徴とする、遊技機。
【請求項２】
前記変動表示において、リーチ状態となる前に、所定の予告演出を実行可能な予告演出手段をさらに備える、請求項１に記載の遊技機。
【手続補正２】
【補正対象書類名】明細書
【補正対象項目名】０００１
【補正方法】変更
【補正の内容】
【０００１】
本発明は、パチンコ遊技機等の遊技機に関し、特に、各々を識別可能な複数種類の識別情報の変動表示を行なった後に表示結果を導出表示する変動表示手段における表示結果が特定表示結果となったときに遊技者にとって有利な有利状態に制御可能である遊技機に関する。
【手続補正３】
【補正対象書類名】明細書
【補正対象項目名】０００６
【補正方法】変更
【補正の内容】
【０００６】
しかし、前述した特許文献１のように、当りの遊技制御中に特別遊技状態の期間が更新されたとしても、当該当りが発生したときには、当該当りに対応して特別遊技状態の期間の更新が行なわれることを遊技者が容易に把握できているので、当該期間の更新に関する演出が単調で遊技者の期待感を盛り上げることができないおそれがあった。
【手続補正４】
【補正対象書類名】明細書
【補正対象項目名】０００７
【補正方法】変更
【補正の内容】
【０００７】
本発明は、かかる実情に鑑み考え出されたものであり、特別状態の期間の更新に関する演出について、遊技者の期待感を盛り上げることができる遊技機を提供することである。
【手続補正５】
【補正対象書類名】明細書
【補正対象項目名】０００８
【補正方法】変更
【補正の内容】
【０００８】
（１）  各々を識別可能な複数種類の識別情報（演出図柄）の変動表示を行なった後に表示結果を導出表示する変動表示手段（演出表示装置９）における表示結果が特定表示結果（大当り表示結果）となったときに遊技者にとって有利な有利状態（大当り遊技状態）に制御可能である遊技機（パチンコ遊技機１）であって、
所定条件が成立したこと（２Ｒ通常大当りの成立）に基づいて、設定期間（変動表示１００回）に亘り前記有利状態とは異なる遊技者にとって有利な特別状態（時短状態）に制御する（図２）特別状態制御手段（遊技制御用マイクロコンピュータ５６０、図１５のＳ１５７，Ｓ１６０、図１０のＳ３０１、図９のＳ２７、演出制御用マイクロコンピュータ１００、図１７のＳ８０７（大当り遊技状態終了後の時短残り回数の表示）、図２６のＳ８２９，Ｓ８３２（大当り遊技状態開始前の時短残り回数の再設定）、図１７のＳ８０２（大当り遊技状態開始前の時短残り回数の再設定表示））と、
前記設定期間に基づいて、該設定期間に関連した期間情報を表示する表示手段と、
リーチ演出を実行するリーチ演出実行手段（演出制御用マイクロコンピュータ１００、図２６のＳ８２１、Ｓ８２８，Ｓ８２９，Ｓ８２６，Ｓ８２７，Ｓ８３２，図１７のＳ８０２）とを備え、
前記表示手段は、前記特別状態中に前記特別遊技状態の制御期間を設定する設定条件が成立したことに基づいて、前記変動表示において、前記リーチ演出が実行された後（図１８（Ｅ））、前記識別情報とは態様が異なる特殊識別情報（図１８等の時短再設定図柄９６）を表示したときに（図１８（Ｇ））、前記期間情報を新たな期間情報に更新可能である（図１８（Ｉ）の残回数表示部９４での時短残り回数の再設定、図１５のＳ１６２，Ｓ１５７〜Ｓ１６０、図２６のＳ８２１、Ｓ８２８，Ｓ８２９，Ｓ８３２，図１７のＳ８０２）。
【手続補正６】
【補正対象書類名】明細書
【補正対象項目名】０００９
【補正方法】変更
【補正の内容】
【０００９】
このような構成によれば、特別状態中の変動表示において、リーチ演出が実行された後、識別情報とは態様が異なる特殊識別情報を表示したときに期間情報を新たな期間情報に更新可能であるので、特別状態の期間の更新に関する演出について、遊技者の期待感を盛り上げることができる。
【手続補正７】
【補正対象書類名】明細書
【補正対象項目名】００１０
【補正方法】変更
【補正の内容】
【００１０】
（２）  前記（１）の遊技機において、前記変動表示において、リーチ状態となる前に、所定の予告演出（図２０の（Ｂ），（Ｃ））を実行可能な予告演出手段（演出制御用マイクロコンピュータ１００、図２６のＳ８２０，Ｓ８２７，Ｓ８２９，Ｓ８３２，図１７のＳ８０２）をさらに備える。
（３） 前記（２）の遊技機において、前記特別状態制御手段は、前記予告演出手段により実行された予告演出の演出結果を特定可能な情報として前記特殊識別情報を表示する（図２０の（Ｅ）〜（Ｇ））。
このような構成によれば、予告演出の演出結果を特定可能な情報として特殊識別情報が表示されるので、予告演出と特殊識別情報との関連性に基づいて、特別状態の期間情報に関する演出の面白みを向上させることができる。
（４）  前記（１）から（３）のいずれかの遊技機において、前記リーチ演出実行手段は、演出態様が異なる複数種類の前記リーチ演出（２Ｒ通常大当りパターンＡ、２Ｒ通常大当りパターンＢ）のうちから選択した前記リーチ演出を実行する（図７）。
【手続補正８】
【補正対象書類名】明細書
【補正対象項目名】００１１
【補正方法】変更
【補正の内容】
【００１１】
このような構成によれば、リーチ演出として、演出態様が異なる複数種類のリーチ演出のうちから選択したリーチ演出が実行されるので、バラエティに富んだリーチ演出により、リーチ演出の特別状態の期間情報に関する演出の面白みを向上させることができる。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
（５）  前記（１）から（４）のいずれかの遊技機において、前記特別状態制御手段は、
所定の演出を実行する条件（先読み予告の実行条件、スーパーリーチの実行条件等）が成立したことに基づいて、前記変動表示において、前記識別情報および前記特殊識別情報とは態様が異なる所定識別情報（図１９の保留変化図柄９８、発展図柄９９等）を表示することが可能であり（図１９）、
前記変動表示において、前記識別情報、前記特殊識別情報、および、前記所定識別情報とは態様が異なる共通の識別情報（図１９（Ｃ）のシャッター図柄９５）を一旦表示した後、当該共通の識別情報を、前記特殊識別情報、または、前記所定識別情報に変更する（図１９（Ｃ），（Ｄ）、図１９（Ｃ），（Ｇ）、図１９（Ｃ），（Ｉ））。
このような構成によれば、リーチ演出として、演出態様が異なる複数種類のリーチ演出のうちから選択したリーチ演出が実行されるので、バラエティに富んだリーチ演出により、リーチ演出の特別状態の期間情報に関する演出の面白みを向上させることができる。
【手続補正１２】
【補正対象書類名】明細書
【補正対象項目名】００１５
【補正方法】変更
【補正の内容】
【００１５】
このような構成によれば、変動表示において、識別情報、特殊識別情報、および、所定識別情報とは態様が異なる共通の識別情報が一旦表示された後、当該共通の識別情報が、特殊識別情報、または、所定識別情報に変更されるので、識別情報の変更に起因する演出の変化に基づいて、特別状態の期間情報に関する演出の面白みを向上させることができる。
【手続補正１３】
【補正対象書類名】明細書
【補正対象項目名】００１６
【補正方法】変更
【補正の内容】
【００１６】
（６）  前記（５）の遊技機において、前記変動表示の実行条件が成立したが開始条件が成立していない変動表示について、保留記憶情報として記憶可能な保留記憶手段（図８の第１，第２保留記憶バッファ）と、
前記保留記憶情報が存在することを表示する保留記憶表示手段（第１保留記憶表示部１８ｃ、第２保留記憶表示部１８ｄ）と、
前記変動表示手段により表示される前記所定識別情報を複数種類の中（第１保留変化図柄、第２保留変化図柄）から選択する所定識別情報選択手段（演出制御用マイクロコンピュータ１００、図２５のＳ７３１、図２３のビーム演出決定テーブル（ビーム演出が決まると保留変化図柄が定まる））と、
該所定識別情報選択手段により選択された前記所定識別情報が表示されたときに、表示された前記所定識別情報の種類に応じて、前記保留記憶表示手段の表示態様を複数種類の表示態様（保留α，β）のうちのいずれかの表示態様に変更する（図１９（Ｇ），（Ｈ））保留記憶表示変更手段（演出制御用マイクロコンピュータ１００、図２５のＳ７２９，Ｓ７３０，Ｓ７３７，Ｓ７３８、図２６のＳ８２６，Ｓ８３２、図１７のＳ８０２）とをさらに備える。
【手続補正１４】
【補正対象書類名】明細書
【補正対象項目名】００１７
【補正方法】変更
【補正の内容】
【００１７】
このような構成によれば、選択されて表示された所定識別情報の種類に応じて、保留記憶表示手段の表示態様が、複数種類の表示態様のうちのいずれかの表示態様に変更されるので、所定識別情報の種類と保留記憶表示手段の表示態様との関連性に基づいて、特別状態の期間情報に関する演出の面白みを向上させることができる。
【手続補正１５】
【補正対象書類名】明細書
【補正対象項目名】００１９
【補正方法】変更
【補正の内容】
【００１９】
以下、本発明の実施の形態を、図面を参照して説明する。なお、遊技機の一例としてパチンコ遊技機を示すが、本発明はパチンコ遊技機に限られず、コイン遊技機等のその他の遊技機であってもよく、各々を識別可能な複数種類の識別情報の変動表示を行なった後に表示結果を導出表示する変動表示手段における表示結果が特定表示結果となったときに遊技者にとって有利な有利状態に制御可能である遊技機であればどのような遊技機であってもよい。